(57)【要約】本発明は、左側に隣接する光伝送路の障害時に第３スイッチ手段から供給される左回り予備系波長を折り返して右回りアッドドロップ手段に供給し、右側に隣接する光伝送路の障害時に第２スイッチ手段から供給される右回り予備系波長を折り返して左回りアッドドロップ手段に供給し、右側に隣接する光伝送路の障害時に右回りアッドドロップ手段から供給される右回り現用系波長を折り返して第１スイッチ手段に供給し、左側に隣接する光伝送路の障害時に左回りアッドドロップ手段から供給される左回り現用系波長を折り返して第４スイッチ手段に供給する構成とすることにより、リング型光ネットワークで光伝送路の障害時に増加する通過ノードにおける伝送損失を低減し、障害復旧時の伝送特性劣化を低減することが可能となる。
2004079950.tif 000002
【特許請求の範囲】
【請求項１】
双方向リング型光ネットワークを構成するリング型光ネットワークのノード装置において、
右回りの光伝送路から入力される波長多重信号を右回り現用系波長と右回り予備系波長に分波する右回り分波手段と、
左回りの光伝送路から入力される波長多重信号を左回り現用系波長と左回り予備系波長に分波する左回り分波手段と、
通常時に前記右回り分波手段からの前記右回り現用系波長を右回りアッドドロップ手段に供給すると共に第３スイッチ手段から供給される左回り予備系波長を左回り合波手段に供給し、左側に隣接する光伝送路の障害時に前記第３スイッチ手段から供給される左回り予備系波長を折り返して右回りアッドドロップ手段に供給する第１スイッチ手段と、
通常時に前記左回り分波手段からの前記左回り現用系波長を左回りアッドドロップ手段に供給すると共に第３スイッチ手段から供給される右回り予備系波長を右回り合波手段に供給し、右側に隣接する光伝送路の障害時に前記第２スイッチ手段から供給される右回り予備系波長を折り返して左回りアッドドロップ手段に供給する第４スイッチ手段と、
前記第１スイッチ手段から供給される前記右回り現用系波長のうち特定波長の光信号をアッドまたはドロップする右回りアッドドロップ手段と、
前記第４スイッチ手段から供給される前記左回り現用系波長のうち特定波長の光信号をアッドまたはドロップする左回りアッドドロップ手段と、
通常時に前記右回りアッドドロップ手段からの右回り現用系波長を右回り合波手段に供給すると共に前記左回り分波手段からの左回り予備系波長を前記第１スイッチ手段に供給し、右側に隣接する光伝送路の障害時に前記右回りアッドドロップ手段から供給される右回り現用系波長を折り返して前記第１スイッチ手段に供給する第２スイッチ手段と、
通常時に前記左回りアッドドロップ手段からの左回り現用系波長を左回り合波手段に供給すると共に前記右回り分波手段からの右回り予備系波長を前記第４スイッチ手段に供給し、左側に隣接する光伝送路の障害時に前記左回りアッドドロップ手段から供給される左回り現用系波長を折り返して前記第４スイッチ手段に供給する第３スイッチ手段と、
前記第２スイッチ手段からの光信号と前記第４スイッチ手段からの光信号を合波して右回り光伝送路に出力する右回り合波手段と、
前記第１スイッチ手段からの光信号と前記第３スイッチ手段からの光信号を合波して右回り光伝送路に出力する右回り合波手段を
有するリング型光ネットワークのノード装置。
【請求項２】
請求項１記載のリング型光ネットワークのノード装置において、
前記第１乃至第４スイッチ手段は、折り返した信号を増幅する光アンプを有するリング型光ネットワークのノード装置。
【請求項３】
双方向リング型光ネットワークを構成するリング型光ネットワークのノード装置において、
通常時に右回り光伝送路から入力される波長多重信号を右回り分波手段に供給すると共に左回り合波手段から供給される波長多重信号を左回り光伝送路に出力し、左側に隣接する光伝送路の障害時に左回り合波手段から供給される波長多重信号を折り返し前記右回り分波手段に供給する第１スイッチ手段と、
通常時に左回り光伝送路から入力される波長多重信号を左回り分波手段に供給すると共に右回り合波手段から供給される波長多重信号を右回り光伝送路に出力し、右側に隣接する光伝送路の障害時に右回り合波手段から供給される波長多重信号を折り返し前記左回り分波手段に供給する第２スイッチ手段と、
前記第１スイッチ手段から供給される波長多重信号を右回り現用系波長と右回り予備系波長に分波する右回り分波手段と、
前記第２スイッチ手段から供給される波長多重信号を左回り現用系波長と左回り予備系波長に分波する左回り分波手段と、
前記右回り分波手段から供給される右回り現用系波長のうち特定波長の光信号をアッドまたはドロップする右回りアッドドロップ手段と、
前記左回り分波手段から供給される左回り現用系波長のうち特定波長の光信号をアッドまたはドロップする左回りアッドドロップ手段と、
前記右回りアッドドロップ手段からの右回り現用系波長と前記右回り分波手段からの右回り予備系波長を合波して右回り光伝送路に出力する右回り合波手段と、
前記左回りアッドドロップ手段からの左回り現用系波長と前記左回り分波手段からの左回り予備系波長を合波して左回り光伝送路に出力する左回り合波手段を有するリング型光ネットワークのノード装置。
【請求項４】
請求項３記載のリング型光ネットワークのノード装置において、
前記第１，第２スイッチ手段は、折り返した信号を増幅する光増幅器を有するリング型光ネットワークのノード装置。
【請求項５】
請求項１または３記載のリング型光ネットワークのノード装置において、
前記右回りアッドドロップ手段及び左回りアッドドロップ手段は、低優先光信号のアッドまたはドロップを行うリング型光ネットワークのノード装置。
【請求項６】
通常時に右回り光伝送路から入力される波長多重信号を右回りアッドドロップ手段に供給すると共に左回りアッドドロップ手段から供給される波長多重信号を左回り光伝送路に出力し、左側に隣接する光伝送路の障害時に左回りアッドドロップ手段から供給される波長多重信号を折り返し前記右回りアッドドロップ手段に供給する第１スイッチ手段と、
通常時に左回り光伝送路から入力される波長多重信号を左回りアッドドロップ手段に供給すると共に右回りアッドドロップ手段から供給される波長多重信号を右回り光伝送路に出力し、右側に隣接する光伝送路の障害時に右回りアッドドロップ手段から供給される波長多重信号を折り返し前記左回りアッドドロップ手段に供給する第２スイッチ手段と、
前記第１スイッチ手段から供給される波長多重信号のうち特定波長の光信号及び低優先光信号をアッドまたはドロップする右回りアッドドロップ手段と、
前記第２スイッチ手段から供給される波長多重信号のうち特定波長の光信号及び低優先光信号をアッドまたはドロップする左回りアッドドロップ手段を有し、双方向リング型光ネットワークを構成するリング型光ネットワークのノード装置において、
前記右側または左側に隣接する光伝送路の障害時に、前記第１，第２スイッチ手段で折り返された波長多重信号のうち特定波長の光信号を前記右回りアッドドロップ手段または左回りアッドドロップ手段でドロップし、前記ドロップされた特定波長の光信号を前記低優先光信号用の光送受信手段を通したのち、前記右回りアッドドロップ手段または左回りアッドドロップ手段でアッドするリング型光ネットワークのノード装置。
【請求項７】
請求項６記載のリング型光ネットワークのノード装置において、
前記低優先光信号用の光送受信手段は、低優先光信号を前記右回りアッドドロップ手段または左回りアッドドロップ手段でアッドするための入力用であるリング型光ネットワークのノード装置。
【請求項８】
請求項６記載のリング型光ネットワークのノード装置において、
前記低優先光信号用の光送受信手段は、低優先光信号を前記右回りアッドドロップ手段または左回りアッドドロップ手段からドロップするための出力用であるリング型光ネットワークのノード装置。
【請求項９】
請求項６記載のリング型光ネットワークのノード装置において、
前記低優先光信号用の光送受信器は、低優先光信号を前記右回りアッドドロップ手段または左回りアッドドロップ手段でアッドするための入力用、及び低優先光信号を前記右回りアッドドロップ手段または左回りアッドドロップ手段からドロップするための出力用の両方であるリング型光ネットワークのノード装置。
【発明の詳細な説明】
【技術分野】  本発明は、リング型光ネットワークのノード装置に関し、リング型光ネットワークを構成するリング型光ネットワークのノード装置に関する。
【背景技術】  近年、インターネットトラフィック増加に伴い、光ネットワークの需要は高まっている。特に、その中において、光のままで高速かつ大容量のデータを扱う光ネットワークが注目されている。そのため、光ネットワークを、効率的に収容し回線を提供するノード構成が要求されている。
図１は、従来のリング型光ネットワークの一例の構成図を示す。この構成はノード０−１〜０−８をリング状に接続したものである。ノード０−１〜０−８間の接続にあたっては、冗長性を考慮して光伝送路を現用系と予備系の２本接続する構成が取られている（例えば特許文献１，特許文献２参照。）。
図２に示すように、ノード０−１，０−８間を接続する光伝送路が断線等の障害により使用不可になった場合、障害端のノード０−１，０−８で経路を折り返すことで障害前のリングと等価なネットワークを形成し、いわゆるラインプロテクションと呼ばれる障害復旧を行う。この場合、制御すべきノードが障害端のノード０−１，０−８のみであるため、容易な制御で冗長系を実現できる。
しかし、上記の方式においては、障害復旧時の通過ノード数及び伝送距離は必然的に増加する。従って、光信号の伝送損失が問題となる。特に、損失は伝送路よりも通過ノード内で特定波長のアッド／ドロップ行う光アッド／ドロップ装置での損失が大きく、障害復旧時の伝送特性劣化が大きいという問題があった。
【特許文献１】    特開平２−１９９４３１号公報
【特許文献２】    特開平１１−２８９２９６号公報
【発明の開示】
本発明は、リング型光ネットワークで光伝送路の障害時に増加する通過ノードにおける伝送損失を低減し、障害復旧時の伝送特性劣化を低減するリング型光ネットワークのノード装置を提供することを総括的な目的とする。
この目的を達成するため、本発明は双方向リング型光ネットワークを構成するリング型光ネットワークのノード装置において、右回りの光伝送路から入力される波長多重信号を右回り現用系波長と右回り予備系波長に分波する右回り分波手段と、左回りの光伝送路から入力される波長多重信号を左回り現用系波長と左回り予備系波長に分波する左回り分波手段と、通常時に前記右回り分波手段からの前記右回り現用系波長を右回りアッドドロップ手段に供給すると共に第３スイッチ手段から供給される左回り予備系波長を左回り合波手段に供給し、左側に隣接する光伝送路の障害時に前記第３スイッチ手段から供給される左回り予備系波長を折り返して右回りアッドドロップ手段に供給する第１スイッチ手段と、通常時に前記左回り分波手段からの前記左回り現用系波長を左回りアッドドロップ手段に供給すると共に第３スイッチ手段から供給される右回り予備系波長を右回り合波手段に供給し、右側に隣接する光伝送路の障害時に前記第２スイッチ手段から供給される右回り予備系波長を折り返して左回りアッドドロップ手段に供給する第４スイッチ手段と、前記第１スイッチ手段から供給される前記右回り現用系波長のうち特定波長の光信号をアッドまたはドロップする右回りアッドドロップ手段と、前記第４スイッチ手段から供給される前記左回り現用系波長のうち特定波長の光信号をアッドまたはドロップする左回りアッドドロップ手段と、通常時に前記右回りアッドドロップ手段からの右回り現用系波長を右回り合波手段に供給すると共に前記左回り分波手段からの左回り予備系波長を前記第１スイッチ手段に供給し、右側に隣接する光伝送路の障害時に前記右回りアッドドロップ手段から供給される右回り現用系波長を折り返して前記第１スイッチ手段に供給する第２スイッチ手段と、通常時に前記左回りアッドドロップ手段からの左回り現用系波長を左回り合波手段に供給すると共に前記右回り分波手段からの右回り予備系波長を前記第４スイッチ手段に供給し、左側に隣接する光伝送路の障害時に前記左回りアッドドロップ手段から供給される左回り現用系波長を折り返して前記第４スイッチ手段に供給する第３スイッチ手段と、前記第２スイッチ手段からの光信号と前記第４スイッチ手段からの光信号を合波して右回り光伝送路に出力する右回り合波手段と、前記第１スイッチ手段からの光信号と前記第３スイッチ手段からの光信号を合波して右回り光伝送路に出力する右回り合波手段を有し構成される。
このようなリング型光ネットワークのノード装置によれば、リング型光ネットワークで光伝送路の障害時に増加する通過ノードにおける伝送損失を低減し、障害復旧時の伝送特性劣化を低減することが可能となる。
【図面の簡単な説明】  図１は、従来のリング型光ネットワークの一例の構成図である。
図２は、従来のリング型光ネットワークの障害復旧時の構成図である。
図３は、本発明のリング型光ネットワークの通常運用時の構成図である。
図４は、本発明のリング型光ネットワークの通常運用時の構成図である。
図５は、本発明のリング型光ネットワークの障害復旧時の構成図である。
図６は、本発明のノード装置の第１実施例の構成図である。
図７は、２×２スイッチの構成図である。
図８は、通常運用時における光信号の流れを示す図である。
図９は、右側に隣接する光伝送路で障害が起こった場合の障害端ノード装置における信号の流れを示す図である。
図１０は、左側に隣接する光伝送路で障害が起こった場合の障害端ノード装置における信号の流れを示す図である。
図１１は、障害が起こった場合の障害端以外のノード装置における信号の流れを示す図である。
図１２は、本発明のノード装置の第２実施例の構成図である。
図１３は、本発明のノード装置の第３実施例の構成図である。
図１４は、従来のノード装置の一例の構成図である。
図１５は、図１４におけるＰＣＡをアッド／ドロップする部分を抽出して示す図である。
図１６は、本発明のノード装置のＰＣＡをアッド／ドロップする部分を抽出した第４実施例の構成図である。
図１７は、本発明のノード装置のＰＣＡをアッド／ドロップする部分を抽出した第５実施例の構成図である。
図１８は、本発明のノード装置のＰＣＡをアッド／ドロップする部分を抽出した第６実施例の構成図である。
【発明を実施するための最良の形態】  以下、本発明の実施例を図面に基づいて説明する。
図３は、本発明の双方向リング型光ネットワークの一実施例の構成図を示す。同図中、ノード１−１〜１−８を右回りと左回りの光伝送路でリング状に接続したものである。通常運用時においては、図４に示すように、例えばノード１−１からアッドされたパスはノード１−５までの右回りの伝送パスと、ノード１−１からノード１−６までの左回りの伝送パスを用意して伝送経路短縮を図る。
図５に示すように、ノード１−１，１−８間を接続する光伝送路が断線等の障害により使用不可になった場合、左回りの伝送パスのうちノード１−１，１−８間を右回りのノード１−１〜ノード１−８の伝送パスに切り替える。この場合、ノード１−２〜１−５間で伝送経路が重複するため、障害時においては、ノード１−６〜１−８に割り振る波長は予備の波長を用いることで冗長系を確保する。
図６は、ノード１−１〜ノード１−８として適用される本発明のノード装置の第１実施例の構成図を示す。同図中、右回りの伝送パス用の光伝送路は光分波器１０−１に接続される。光分波器１０−１は、右回りの伝送パス用の光伝送路から入力される波長多重信号を現用系波長λｗ（λＮ＋１〜λ２Ｎ）と予備系波長λｐ（λ１〜λＮ）に分波して、現用系波長λｗを２×２スイッチ３−１のポートＢに供給し、予備系波長λｐを２×２スイッチ３−３のポートＤに供給する。
２×２スイッチ３−１〜３−４は、図７に示すようなマトリクス光スイッチであり、通常運用時には、ポートＡ，Ｂが接続されると共に、ポートＣ，Ｄが接続される。また、障害復旧時にはポートＡの入力光が２×１スイッチ７−２，７−１を通してポートＣから出力されるよう切り替えられる。障害復旧時の経路においては、２つの２×１スイッチを通過するために、その分のスイッチ損失分ならびにファイバの伝送損失を生じることになるため、２×１スイッチ７−１，７−２間に光増幅器８を設けている。
２×２スイッチ３−１のポートＡからの出力光は、光アッド／ドロップ装置６−１の光分波器４に供給される。
光アッド／ドロップ装置６−１は、入力光を光分波器４で波長毎に分波してマトリックス光スイッチ２に供給する。マトリックス光スイッチ２は、特定波長の光信号を抽出してドロップし、ならびに、特定波長の光信号をネットワーク内に組み入れアッドする。マトリックス光スイッチ２から出力される各波長の光信号は光合波器５で合波されて２×２スイッチ３−１のポートＡに入力され、通常時には２×２スイッチ３−１のポートＢから光合波器１１−１に供給される。
一方、２×２スイッチ３−３のポートＤに供給された予備系波長λｐは、通常時には２×２スイッチ３−３のポートＣから出力され、２×２スイッチ３−４のポートＣに供給され、２×２スイッチ３−４のポートＤから光合波器１１−１に供給される。光合波器１１−１は２×２スイッチ３−２のポートＢからの出力光と２×２スイッチ３−４のポートＤからの出力光とを合波して、右回りの伝送パス用の光伝送路に送出する。
左回りの伝送パス用の光伝送路は光分波器１０−２に接続される。光分波器１０−２は、左回りの伝送パス用の光伝送路から入力される波長多重信号を現用系波長λｗ（λ１〜λＮ）と予備系波長λｐ（λＮ＋１〜λ２Ｎ）に分波する。ここで、右回りの波長多重信号が現用系波長λｗ（λＮ＋１〜λ２Ｎ）と予備系波長λｐ（λ１〜λＮ）であるのに対し、左回りの波長多重信号は現用系波長λｗ（λ１〜λＮ）と予備系波長λｐ（λＮ＋１〜λ２Ｎ）と逆に設定されている。
左回りの現用系波長λｗは２×２スイッチ３−４のポートＢに供給され、予備系波長λｐは２×２スイッチ３−２のポートＤに供給される。現用系波長λｗは２×２スイッチ３−４のポートＡから出力され、光アッド／ドロップ装置６−２の光分波器４に供給される。
光アッド／ドロップ装置６−２は、入力光を光分波器４で波長毎に分波してマトリックス光スイッチ２に供給する。マトリックス光スイッチ２は、特定波長の光信号を抽出してドロップし、ならびに、特定波長の光信号をネットワーク内に組み入れアッドする。マトリックス光スイッチ２から出力される各波長の光信号は光合波器５で合波されて２×２スイッチ３−３のポートＡに入力され、通常時には２×２スイッチ３−３のポートＢから光合波器１１−２に供給される。
一方、２×２スイッチ３−２のポートＤに供給された予備系波長λｐは、通常時には２×２スイッチ３−２のポートＣから出力され、２×２スイッチ３−１のポートＣに供給され、２×２スイッチ３−１のポートＤから光合波器１１−２に供給される。光合波器１１−１は２×２スイッチ３−３のポートＢからの出力光と２×２スイッチ３−１のポートＤからの出力光とを合波して、左回りの伝送パス用の光伝送路に送出する。
図８は、通常運用時における光信号の流れを矢印で示す。同図中、２×２スイッチ３−１〜３−４は、ポートＡとポートＢが接続され、右回り／左回り信号ともに、アッド／ドロップを経由する。この場合、双方とも適用される波長は，現用系波長λｗが割り振られる。右回りの現用系波長λｗはλＮ＋１〜λ２Ｎで、左回りの現用系波長λｗはλ１〜λＮである。
図９は、右側に隣接する光伝送路で障害が起こった場合の障害端ノード装置における信号の流れを太い矢印で示す。障害が起こった側の２×２スイッチ３−２，３−４を切り替えて、ポートＡ，Ｃ間を接続することで光信号を折り返す。この結果、光分波器１０−１から入力される右回りの現用系波長λｗの光信号は、光スイッチ３−２で折り返され、光アッド／ドロップ装置６−１を通ることなく、光スイッチ３−１を通し左回りの予備系波長λｐの光信号として、光合波器１１−２に供給される。また、光分波器１０−１から入力される右回りの予備系波長λｐの光信号は、光スイッチ３−４で折り返され、光スイッチ３−３を通し左回りの現用系波長λｗの光信号として、光合波器１１−２に供給され、左回りの光伝送路に送出される。
図１０は、左側に隣接する光伝送路で障害が起こった場合の障害端のノード装置における信号の流れを太い矢印で示す。障害が起こった側の２×２スイッチ３−１，３−３を切り替えて、ポートＡ，Ｃ間を接続することで光信号を折り返す。この結果、光分波器１０−２から入力される左回りの現用系波長λｗの光信号は、光スイッチ３−３で折り返され、光アッド／ドロップ装置６−２を通ることなく、光スイッチ３−４を通し右回りの予備系波長λｐの光信号として、光合波器１１−１に供給される。また、光分波器１０−２から入力される左回りの予備系波長λｐの光信号は、光スイッチ３−１で折り返され、光スイッチ３−２を通し右回りの現用系波長λｗの光信号として、光合波器１１−１に供給され、右回りの光伝送路に送出される。
図１１は、障害が起こった場合の障害端以外のノード装置における信号の流れを太い矢印で示す。障害端のノード装置の動作で折り返され逆向きの予備系波長λｐとされた光信号は、光アッド／ドロップ装置６−１，６−２を経由せず、いわゆるスルーの状態で流れる。従って、光アッド／ドロップ装置６−１，６−２を経由しない分、光伝送損失の改善が可能となり、伝送特性劣化を低減することが可能となる。
図１２は、ノード１−１〜ノード１−８として適用される本発明のノード装置の第２実施例の構成図を示す。この実施例は光合波器及び光分波器の外側（光伝送路側）に２×２スイッチを配置した構成である。この構成により、２×２スイッチを２個に削減できる。
同図中、右回りの伝送パス用の光伝送路は２×２スイッチ３−１のポートＢに接続され、２×２スイッチ３−１のポートＡは光分波器１０−１に接続される。光分波器１０−１は、右回りの伝送パス用の光伝送路から入力される波長多重信号を現用系波長λｗ（λＮ＋１〜λ２Ｎ）と予備系波長λｐ（λ１〜λＮ）に分波して、現用系波長λｗを光アッド／ドロップ装置６−１に供給し、予備系波長λｐを光合波器１１−１に供給する。
２×２スイッチ３−１，３−２は、図７に示すようなマトリクス光スイッチあり、通常運用時には、ポートＡ，Ｂが接続されると共に、ポートＣ，Ｄが接続される。
光アッド／ドロップ装置６−１は、入力光を光分波器４で波長毎に分波してマトリックス光スイッチ２に供給する。マトリックス光スイッチ２は、特定波長の光信号を抽出してドロップし、ならびに、特定波長の光信号をネットワーク内に組み入れアッドする。マトリックス光スイッチ２から出力される各波長の光信号は光合波器５で合波されて光合波器１１−１に供給される。光合波器１１−１は光アッド／ドロップ装置６−１からの現用系波長λｗと光分波器１０−１からの予備系波長λｐを合波して、２×２スイッチ３−２のポートＡ，Ｂを通して右回りの伝送パス用の光伝送路に送出する。
左回りの伝送パス用の光伝送路は２×２スイッチ３−２のポートＤに接続され、２×２スイッチ３−２のポートＣは光分波器１０−２に接続される。光分波器１０−２は、左回りの伝送パス用の光伝送路から入力される波長多重信号を現用系波長λｗ（λ１〜λＮ）と予備系波長λｐ（λＮ＋１〜λ２Ｎ）に分波して、現用系波長λｗを光アッド／ドロップ装置６−２に供給し、予備系波長λｐを光合波器１１−２に供給する。
光アッド／ドロップ装置６−２は、入力光を光分波器４で波長毎に分波してマトリックス光スイッチ２に供給する。マトリックス光スイッチ２は、特定波長の光信号を抽出してドロップし、ならびに、特定波長の光信号をネットワーク内に組み入れアッドする。マトリックス光スイッチ２から出力される各波長の光信号は光合波器５で合波されて光合波器１１−２に供給される。光合波器１１−２は光アッド／ドロップ装置６−２からの現用系波長λｗと光分波器１０−１からの予備系波長λｐを合波して、２×２スイッチ３−１のポートＣ，Ｄを通して左回りの伝送パス用の光伝送路に送出する。
この実施例でも、隣接する光伝送路で障害が起こった場合は、障害が起こった側の２×２スイッチ３−１，３−２を切り替えて、ポートＡ，Ｃ間を接続することで光信号を折り返す。また、障害端以外のノード装置は通常時と同一動作で２×２スイッチ３−１，３−２の切り替えは行わない。
この結果、障害端のノード装置で折り返された光信号は、障害端以外のノード装置で光アッド／ドロップ装置６−１，６−２を経由せずに、即ち減衰することなく伝送される。従って、光アッド／ドロップ装置６−１，６−２を経由しない分、光伝送損失の改善が可能となる。
図１３は、ノード１−１〜ノード１−８として適用される本発明のノード装置の第３実施例の構成図を示す。この実施例は、予備系の光伝送路は、通常時に運用しないことを前提とするがモニタ及び監視機能等のため光信号である低優先光信号（ＰＣＡ）を流す場合に用いられる。
同図中、右回りの伝送パス用の光伝送路は光分波器１０−１に接続される。光分波器１０−１は、右回りの伝送パス用の光伝送路から入力される波長多重信号を現用系波長λｗ（λＮ＋１〜λ２Ｎ）と予備系波長λｐ（λ１〜λＮ）に分波して、現用系波長λｗを２×３スイッチ３−５のポートＢに供給し、予備系波長λｐを２×３スイッチ３−７のポートＤに供給する。
２×３スイッチ３−５〜３−８は、マトリクス光スイッチであり、通常運用時には、ポートＡ，Ｂが接続されると共にポートＤ，Ｅが接続される。また、障害復旧時にはポートＡ，Ｃが接続されるよう切り替えられる。
２×３スイッチ３−５のポートＡからの出力光は、光アッド／ドロップ装置６−１の光分波器４に供給される。
光アッド／ドロップ装置６−１は、入力光を光分波器４で波長毎に分波してマトリックス光スイッチ２に供給する。マトリックス光スイッチ２は、特定波長の光信号を抽出してドロップし、ならびに、特定波長の光信号をネットワーク内に組み入れアッドする。マトリックス光スイッチ２から出力される各波長の光信号は光合波器５で合波されて２×３スイッチ３−６のポートＡに入力され、通常時には２×３スイッチ３−６のポートＢから光合波器１１−１に供給される。
一方、２×３スイッチ３−７のポートＤに供給された予備系波長λｐは、通常時には２×３スイッチ３−７のポートＣから２×３スイッチ３−８のポートＣに供給される。また、光アッド／ドロップ装置６−４は、入力光を光分波器４で波長毎に分波してマトリックス光スイッチ２に供給する。マトリックス光スイッチ２は、ＰＣＡを抽出してドロップし、ならびに、ＰＣＡをネットワーク内に組み入れアッドする。マトリックス光スイッチ２から出力される各波長の光信号は光合波器５で合波されて２×３スイッチ３−８のポートＥに入力される。
通常時には２×３スイッチ３−８はポートＤ，Ｅを接続するため、光アッド／ドロップ装置６−８アッドされたＰＣＡが２×３スイッチ３−８のポートＤから光合波器１１−１に供給される。光合波器１１−１は２×３スイッチ３−６のポートＢからの出力光と２×３スイッチ３−８のポートＤからのＰＣＡとを合波して、右回りの伝送パス用の光伝送路に送出する。
また、障害復旧時には２×３スイッチ３−６，３−８それぞれはポートＡ，Ｃを接続して折り返しを行う。
左回りの伝送パス用の光伝送路は光分波器１０−２に接続される。光分波器１０−２は、左回りの伝送パス用の光伝送路から入力される波長多重信号を現用系波長λｗ（λ１〜λＮ）と予備系波長λｐ（λＮ＋１〜λ２Ｎ）に分波して、現用系波長λｗを２×３スイッチ３−８のポートＢに供給し、予備系波長λｐを２×３スイッチ３−６のポートＤに供給する。
２×３スイッチ３−８のポートＡからの出力光は、光アッド／ドロップ装置６−２の光分波器４に供給される。
光アッド／ドロップ装置６−２は、入力光を光分波器４で波長毎に分波してマトリックス光スイッチ２に供給する。マトリックス光スイッチ２は、特定波長の光信号を抽出してドロップし、ならびに、特定波長の光信号をネットワーク内に組み入れアッドする。マトリックス光スイッチ２から出力される各波長の光信号は光合波器５で合波されて２×３スイッチ３−７のポートＡに入力され、通常時には２×３スイッチ３−７のポートＢから光合波器１１−２に供給される。
一方、２×３スイッチ３−６のポートＤに供給された予備系波長λｐは、通常時には２×３スイッチ３−６のポートＣから２×３スイッチ３−５のポートＣに供給される。また、光アッド／ドロップ装置６−３は、入力光を光分波器４で波長毎に分波してマトリックス光スイッチ２に供給する。マトリックス光スイッチ２は、ＰＣＡを抽出してドロップし、ならびに、ＰＣＡをネットワーク内に組み入れアッドする。マトリックス光スイッチ２から出力される各波長の光信号は光合波器５で合波されて２×３スイッチ３−５のポートＥに入力される。
通常時には２×３スイッチ３−５はポートＤ，Ｅを接続するため、光アッド／ドロップ装置６−３でアッドされたＰＣＡが２×３スイッチ３−５のポートＤから光合波器１１−２に供給される。光合波器１１−２は２×３スイッチ３−７のポートＢからの出力光と２×３スイッチ３−５のポートＤからのＰＣＡとを合波して、左回りの伝送パス用の光伝送路に送出する。
また、障害復旧時には２×３スイッチ３−５，３−７それぞれはポートＡ，Ｃを接続して折り返しを行う。
図１４は、従来のノード装置の一例の構成図を示す。このノード装置は図１２の実施例に対応するものである。図１４において、右回りの伝送パス用の光伝送路は２×２スイッチ３−９のポートＢに接続され、２×２スイッチ３−９のポートＡは光分波器１０−１に接続される。光分波器１０−１は、右回りの伝送パス用の光伝送路から入力される波長多重信号を光アッド／ドロップ装置６−１に供給する。２×２スイッチ３−９，３−１０は、マトリクス光スイッチあり、通常運用時には、ポートＡ，Ｂが接続されると共に、ポートＣ，Ｄが接続される。
光アッド／ドロップ装置６−１は、入力光を光分波器４で波長毎に分波してマトリックス光スイッチ２に供給する。マトリックス光スイッチ２は、特定波長の光信号及びＰＣＡを抽出してドロップし、ならびに、特定波長の光信号及びＰＣＡをネットワーク内に組み入れアッドする。マトリックス光スイッチ２から出力される各波長の光信号は光合波器５で合波され、２×２スイッチ３−１０のポートＡ，Ｂを通して右回りの伝送パス用の光伝送路に送出する。
左回りの伝送パス用の光伝送路は２×２スイッチ３−１０のポートＤに接続され、２×２スイッチ３−１０のポートＣは光分波器１０−２に接続される。光分波器１０−２は、左回りの伝送パス用の光伝送路から入力される波長多重信号を光アッド／ドロップ装置６−２に供給する。
光アッド／ドロップ装置６−２は、入力光を光分波器４で波長毎に分波してマトリックス光スイッチ２に供給する。マトリックス光スイッチ２は、特定波長の光信号及びＰＣＡを抽出してドロップし、ならびに、特定波長の光信号及びＰＣＡをネットワーク内に組み入れアッドする。マトリックス光スイッチ２から出力される各波長の光信号は光合波器５で合波され、２×２スイッチ３−９のポートＣ，Ｄを通して左回りの伝送パス用の光伝送路に送出する。
図１４におけるＰＣＡをアッド／ドロップする光アッド／ドロップ装置６−３，６−４部分を抽出して図１５に示す。図１５において、１２−３，１２−４は、光信号を電気信号に変換して更に光信号に変換するＰＣＡ用トランスポンダである。本発明で適用しようとしているラインプロテクションにおいては、ＰＣＡの光信号は障害時には用いることができない。このことと障害時の伝送距離の長大化に伴う伝送特性を改善する実施例について説明する。
図１６は、本発明のノード装置のＰＣＡをアッド／ドロップする部分を抽出した第４実施例の構成図を示す。同図中、マトリックス光スイッチ２の出力ポートを光セレクタ（または２×１スイッチ）１３−１経由でＰＣＡ入力用のトランスポンダ１２−３に接続する。障害時においては、特定の光パスに対して、トランスポンダ１２−３を経由にするように、マトリックススイッチ２及び光セレクタ１３を切り替える。なお、このような切り替えは、例えば光信号を折り返す障害端のノード装置だけで行えばよい。これにより障害時の伝送距離の長大化に伴う伝送特性改善が行える。
図１７は、本発明のノード装置のＰＣＡをアッド／ドロップする部分を抽出した第５実施例の構成図を示す。同図中、マトリックス光スイッチ２の出力ポートをＰＣＡ出力用のトランスポンダ１２−４経由で光セレクタ（または２×１スイッチ）１３−２に接続する。障害時においては、特定の光パスに対して、トランスポンダ１２−４を経由にするように、マトリックススイッチ２及び光セレクタ１３−２を切り替える。
図１８は、本発明のノード装置のＰＣＡをアッド／ドロップする部分を抽出した第６実施例の構成図を示す。同図中、マトリックス光スイッチ２の出力ポートを光セレクタ（または２×１スイッチ）１３−１経由でＰＣＡ入力用のトランスポンダ１２−３に接続し、また、マトリックス光スイッチ２の他の出力ポートをＰＣＡ出力用のトランスポンダ１２−４経由で光セレクタ（または２×１スイッチ）１３−２に接続する。
障害時においては、特定の光パスに対して、トランスポンダ１２−３を経由にするように、マトリックススイッチ２及び光セレクタ１３を切り替え、他の特定の光パスに対して、トランスポンダ１２−４を経由にするように、マトリックススイッチ２及び光セレクタ１３−２を切り替える。
以上に述べた通り、本発明では障害時に伴う伝送路長増大に対しても、伝送損失を低減することが可能になる。これにより、光ネットワークの拡張性を図ることができる。
なお、光分波器１０−１が請求項記載の右回り分波手段に対応し、光分波器１０−２が左回り分波手段に対応し、２×２スイッチ３−１，３−５が第１スイッチ手段に対応し、２×２スイッチ３−２，３−６が第２スイッチ手段に対応し、２×２スイッチ３−３が第３スイッチ手段に対応し、２×２スイッチ３−４が第４スイッチ手段に対応し、光アッド／ドロップ装置６−１が右回りアッドドロップ手段に対応し、光アッド／ドロップ装置６−２が左回りアッドドロップ手段に対応し、光合波器１１−１が右回り合波手段に対応し、光合波器１１−２が左回り合波手段に対応し、トランスポンダ１２−３，１２−４が光送受信手段に対応する。
【図１】
2004079950.tif 000003
【図２】
2004079950.tif 000004
【図３】
2004079950.tif 000005
【図４】
2004079950.tif 000006
【図５】
2004079950.tif 000007
【図６】
2004079950.tif 000008
【図７】
2004079950.tif 000009
【図８】
2004079950.tif 000010
【図９】
2004079950.tif 000011
【図１０】
2004079950.tif 000012
【図１１】
2004079950.tif 000013
【図１２】
2004079950.tif 000014
【図１３】
2004079950.tif 000015
【図１４】
2004079950.tif 000016
【図１５】
2004079950.tif 000017
【図１６】
2004079950.tif 000018
【図１７】
2004079950.tif 000019
【図１８】
2004079950.tif 000020
【国際調査報告】
2004079950.tif 000021
2004079950.tif 000022
2004079950.tif 000023
2004079950.tif 000024